(57)【特許請求の範囲】
【請求項１】
リール本体に回転可能に支持されたハンドルの回転によって、リール本体の両側の側板間に支持されたスプールに釣糸を巻回する構成を備え、前記スプールの釣糸繰り出し方向の回転を報知するクリック機構を、釣糸の繰り出しで回転する回転体とリール本体との間に備えて成る魚釣用リールにおいて、
前記スプールの釣糸繰り出し方向の回転に制動力を付与するドラグ機構を、このスプールの少なくとも一側部に備え、前記回転体は、前記スプールの前記一側部に一体的に取付けられ、このスプールの一側部のドラグ機構を覆ってドラグ収容部を形成するカバー部材として形成され、このカバー部材に、前記リール本体の側板に設けたクリック爪と係合してクリック音を発生する爪車が形成され、前記カバー部材で形成されるドラグ収容部は、前記クリック爪と爪車とで発生するクリック音の音響効果を高める空間部を形成することを特徴とする魚釣用リール。
【発明の詳細な説明】
【０００１】
【発明の属する技術分野】
本発明は魚釣用リールに関する。
【０００２】
【従来の技術】
従来、魚釣用リールにおけるクリック機構は、魚が掛かった後のドラグ滑りによる釣糸引き出し等に伴うスプールの釣糸繰り出し方向の回転を釣り人に報知する手段として利用されている。具体的には、このクリック機構は、クリック爪と、クリック爪が噛み合う爪車と、クリック爪を付勢する付勢バネとによって構成されている。そして、クリック爪は、リール本体等の非回転体に前記付勢バネを介して一定の姿勢に維持されつつ支持されるとともに、爪車は、リール本体に支持された回転体に一体または別体で取り付けられており、回転する爪車がこれと噛み合うクリック爪を弾発する際に発生する音を報知手段として用いるのが一般的である。
【０００３】
【発明が解決しようとする課題】
ところで、このようなクリック機構は、クリック爪と爪車との弾発音のみでクリック音を発生させるため、船舶の上などにおいては、エンジン音でクリック音が掻き消されてしまう場合がある。そのため、バネ力を上げてクリック爪と爪車との弾発力を高めることにより、クリック音を大きくすることも行なわれている。
【０００４】
しかしながら、バネ力を上げてクリック爪と爪車との弾発力を高めると、クリック爪および爪車に対する衝撃が大きくなり、クリック機構の摩耗が早くなって、耐久性が著しく低下する。
【０００５】
また、両軸受型リールにあっては、スプールをフリー回転状態とすることで仕掛けを投入する構成となっているが、前述のようにしてクリック機構の弾発力を高めると、クリック機構の弾発力が抵抗となって仕掛けがスムーズに繰り出されていかない（スプールフリー性能が悪化する）といった不具合が生じる。クリック機構を作動位置と非作動位置とに切換える機構が設けられている場合、仕掛けを投入する際にクリック機構を非作動位置に切換えれば、前記不具合を解消することができるが、仕掛けの投入の度にクリック機構を切換え操作するのは非常に煩わしく、釣り人にとって手間が増えるため、手返しが悪くなり、釣果が伸びないといった不具合も指摘されている。
【０００６】
本発明は前記事情に着目してなされたものであり、その目的とするところは、クリック機構における弾発力を高めることなく大きなクリック音を得ることができる操作性が良好な魚釣用リールを提供することにある。
【０００７】
【課題を解決するための手段】
前記課題を解決するために、本発明の魚釣用リールは、リール本体に回転可能に支持されたハンドルの回転によって、リール本体の両側の側板間に支持されたスプールに釣糸を巻回する構成を備え、前記スプールの釣糸繰り出し方向の回転を報知するクリック機構を、釣糸の繰り出しで回転する回転体とリール本体との間に備えて成る魚釣用リールにおいて、前記スプールの釣糸繰り出し方向の回転に制動力を付与するドラグ機構を、このスプールの少なくとも一側部に備え、前記回転体は、前記スプールの前記一側部に一体的に取付けられ、このスプールの一側部のドラグ機構を覆ってドラグ収容部を形成するカバー部材として形成され、このカバー部材に、前記リール本体の側板に設けたクリック爪と係合してクリック音を発生する爪車が形成され、前記カバー部材で形成されるドラグ収容部は、前記クリック爪と爪車とで発生するクリック音の音響効果を高める空間部を形成することを特徴とする。
【０００８】
【発明の実施の形態】
以下、図面を参照しつつ本発明の一実施形態について説明する。
【０００９】
図１には、本発明の一実施形態に係る魚釣用リール（両軸受型リール）１が示されている。このリール１は、釣糸が巻回されるスプール２と、スプール２を釣糸巻取り方向に回転させるためのハンドル５０とを有しており、スプール２は、軸受４Ａ，４Ｂを介してスプール軸４に回転可能に支持されている。また、スプール軸４は、軸受６，８を介してリール本体１ａ側に回転可能に支持されるとともに、その軸方向に沿ってスライドできる。具体的には、リール本体１ａは、これに締結された左右の側板１０Ａ，１０Ｂを有しており、スプール軸４の一端側（図中、左側・・・反ハンドル側）は、左側板１０Ａに設けられた軸受６に支持されるとともに、スプール軸４の他端側（図中、右側・・・ハンドル側）は、右側板１０Ｂに設けられた軸受８に支持されている。なお、スプール軸４の他端側にはピニオンギア２０が形成されている。このピニオンギア２０は、スプール軸４の逆方向（釣糸繰り出し方向）の回転を規制するラチェット４５と噛み合っている。また、軸受４Ａ，４Ｂ間には、スプール軸４が貫通するカラー３９が介挿されている。
【００１０】
スプール軸４の一端側には、スプール２と摩擦係合しつつスプール２を軸方向で押圧する押圧部３０が取り付けられている。押圧部３０は、スプール２に一体的に取り付けられたドラグワッシャ２Ａの両側に位置する一対のドラグ押圧部材３１Ａ，３１Ｂを有している。これらのドラグ押圧部材３１Ａ，３１Ｂは、スプール軸４に回り止め嵌合されて軸方向に移動できるとともに、そのライニング材３１ａ，３１ｂを介してドラグワッシャ２Ａの両側からドラグワッシャ２Ａの側面に摩擦接触することができる。また、ドラグ押圧部材３１Ａ，３１Ｂ間には、これらをドラグワッシャ２Ａから離間させる方向に付勢する圧縮バネ３６が介挿されている。なお、この圧縮バネ３６によって、図中右側の第１のドラグ押圧部材３１Ａは軸受４Ａに突き当てられ、図中左側の第２のドラグ押圧部材３１Ｂは軸受６に突き当てられている。
【００１１】
ハンドル５０が位置するスプール軸４の他端側には、スプール軸４を軸方向に移動させてスプール４の釣糸繰り出し方向の回転に制動力を付与するドラグ機構６０が設けられている。このドラグ機構６０は、右側板１０Ｂに回転可能に装着され且つカム機構６２を作動させるドラグレバー（ドラグ力調節部）６１を有している。カム機構６２は、ドラグレバー６１と一体で回転するカム部と、スプール軸４と結合し且つ前記カム部の回転に伴って軸方向にスライドするスライド部とから成り、ドラグレバー６１の回転に伴って前記カムが回転すると、前記スライド部が軸方向にスライドしてスプール軸４を軸方向に移動させることができる。
【００１２】
また、右側板１０Ｂには、ハンドル５０によって回転されるハンドル軸８４が回転可能に支持されている。この場合、ハンドル軸８４は、右側板１０Ｂに取付け固定された支持筒８２内に回転可能に挿通されている。また、ハンドル軸８４の端部には、ピニオンギア２０と噛み合うギア８６が固定されている。
【００１３】
図２および図３に明確に示されるように、スプール２には、スプール２と一体回転する回転体としてのカバー部材５１が螺合されている。このカバー部材５１は、ドラグ機構６０の一部を構成する押圧部３０をカバーして、スプール２との間に閉空間としてのドラグ収容部Ｓを形成している。また、カバー部材５１の外面には、スプール軸４の軸方向に突出する突出筒部５１ａが形成されており、この突出筒部５１ａは、その外周面の周方向に所定の間隔で歯溝５３ａが形成された爪車５３を構成している。
【００１４】
また、爪車５３にはクリック爪５４が係脱可能に係合しており、このクリック爪５４は切換部材５５の軸部に固定されている。また、切換部材５５は、側板１０Ａに形成されたスリット５６内でスライドできる。具体的には、切換部材５５は、クリック爪５４が爪車５３と係合する（噛み合う）クリック作動位置（図２の位置）と、クリック爪５４と爪車５３との係合状態が解除されるクリック非作動位置（図３の位置）との間で、スリット５６内を移動できる。
【００１５】
また、図４および図５に示されるように、切換部材５５の前記２つの位置は、クリック爪５４の首部５４ａに係合可能な略リング状のバネ７０によって保持し得るようになっている。具体的には、図４に示されるように、クリック爪５４には、第１のテーパ面９１によって首部５４ａが形成されるとともに、第１のテーパ面９１からこれと逆方向に傾斜する先細りの第２のテーパ面９０によって最外径部９３が形成されている。そして、図４に示されるように、クリック爪５４の首部５４ａがバネ７０の切り欠き７０ａに係合している状態で、切換部材５５がクリック作動位置に保持される。また、この図４の状態から、切換部材５５によってクリック爪５４を引き上げながら、首部５４ａを形成する第１のテーパ面９１によってバネ７０を弾性的に拡径させると、クリック爪５４の最外径部９３がバネ７０の切り欠き７０ａを乗り越えて第２のテーパ面９０が切り欠き７０ａに位置した（第２のテーパ面９０にバネ７０の端縁が弾性的に当て付いた）時点で、切換部材５５がクリック非作動位置に保持される（図５の状態）。
【００１６】
また、切換部材５５がクリック作動位置に保持された図４の状態で、スプール２の回転によって爪車５３が回転すると、歯溝５３ａに対するクリック爪５４の係脱が繰り返され、クリック音が発生する。この場合のクリック音は、爪車５３の回転で歯溝５３ａから外れるクリック爪５４により弾性的に拡径されるバネ７０（拡径した状態が図４に二点鎖線で示されている）が、クリック爪５４を歯溝５３ａとの係合方向に付勢して爪車５３に弾発させることによって生じる。すなわち、本実施形態において、バネ７０は、爪車５３およびクリック爪５４と共にクリック機構を構成している。
【００１７】
次に、上記構成の魚釣用リール１の動作について説明する。
【００１８】
まず、ハンドル５０を釣糸巻取り方向に回転すると、ハンドル軸８４が回転し、ハンドル軸８４のギア８６と噛み合うピニオンギア２０を介してスプール軸４が回転する。また、このようにして、スプール軸４が回転すると、スプール軸４に回り止め嵌合されたドラグ押圧部材３１Ａ，３１Ｂも回転する。この時、ドラグレバー６１が図１に示される状態で位置している場合には、スプール軸４はその基本位置から軸方向に移動されないため、両方のドラグ押圧部材３１Ａ，３１Ｂとドラグワッシャ２Ａとの間には、圧縮バネ３６の作用により、一定のクリアランスが形成される。したがって、スプール２はフリーで回転でき、スプール２に巻回された釣糸を、何らの抵抗を与えることなく、自由に繰り出すことができる。
【００１９】
また、図１の状態から、ドラグレバー６１を所定方向に回動させると、カム機構６２を介してスプール軸４が軸方向（図１の左側…反ハンドル側）に移動される。スプール軸４が軸方向に移動されると、第１のドラグ押圧部材３１Ａも、軸受４Ｂ、カラー３９、軸受４Ａによって押し出される形で、圧縮バネ３６の付勢力に抗して軸方向に移動してドラグワッシャ２Ａの一方側の側面に接触する。
【００２０】
このように、第１のドラグ押圧部材３１Ａがドラグワッシャ２Ａの一側面に接触した状態では、スプール２が、ドラグ押圧部材３１Ａとの摩擦接触に伴う所定のドラグ力により、スプール軸４とともに回転するようになる。なお、この時、掛かった魚が暴れるなどして前記ドラグ力を超える所定の張力が釣糸に作用すると、スプール２は、釣糸繰り出し方向に回転することができる。
【００２１】
このようなドラグ滑りによる釣糸の引き出しによってスプール２が釣糸繰り出し方向に回転すると、前述したように、クリック機構を構成する爪車５３がこれと噛み合うクリック爪５４を弾発することによってクリック音が発生する（ただし、切換部材５５が図４に示されるクリック作動位置にある場合）。この場合、クリック音は、クリック爪５４と爪車５３との衝突によって生じるカバー部材５１の振動が中空の閉空間であるドラグ収容部Ｓ内で大きく響くことによって、増幅される。すなわち、本実施形態において、カバー部材５１によって形成されるドラグ収容部Ｓは、クリック機構の音響効果を高める空間部として機能する。
【００２２】
なお、前記状態から、ドラグレバー６１を更に回動させて、スプール軸４を更に軸方向に移動させると、圧縮バネ３６が更に圧縮するとともに、押圧部３０は、第１のドラグ押圧部材３１Ａを介して、スプール２をスプール軸４の移動方向に移動させる。そして、最終的に、ドラグレバー６１が終端位置まで回動された時点で、ドラグワッシャ２Ａの他方側の側面が、軸受６に当て付く第２のドラグ押圧部材３１Ｂに接触する（すなわち、ドラグワッシャ２Ａが２つのドラグ押圧部材３１Ａ，３１Ｂ間で挟圧される）。この状態では、スプール２に作用するドラグ力が更に増大し、スプール２は、スプール軸４と完全に摩擦結合され、滑ることなくスプール軸４と一体で回転するようになる。すなわち、スプール４は、釣糸繰り出し方向に回転できなくなる。
【００２３】
以上説明したように、本実施形態の魚釣用リール１では、クリック爪５４と爪車５３とから成るクリック機構の作動で振動するカバー部材５１によってクリック機構の音響効果を高める空間部Ｓが形成されているため、クリック爪５４を支持するバネ７０のバネ力を大きくすることなく（クリック機構における弾発力を高めることなく）、大きなクリック音を得ることができる。また、バネ力を大きくせずに大きなクリック音を得ることができるため、クリック爪５４と爪車５３との当たりを弱くすることが可能となり、音響時の衝撃を緩和できる。したがって、クリック爪５４および爪車５３の摩耗が減少し、耐久性が向上する。
【００２４】
また、このようにクリック機構のバネ力を弱めてクリック爪５４の弾発力を抑えることができれば、両軸リールにおける仕掛け投入時のスプールフリー性能が向上する。そのため、仕掛けの投入毎にクリック機構の切換えを行なう必要がなく、釣り人の負担を軽減できる（手返しが良好となり、好釣果を得ることができる）。
【００２５】
また、スプール２の側部に形成したドラグ収容部Ｓという大きな既存の空間を音響空間として利用しているため、クリック音の響きを増幅するための空間を新たに形成する必要がなく、省スペース化を図ることができる。
【００２６】
また、クリック機構を構成する爪車５３をカバー部材５１に一体的に設けている（本実施形態では、爪車５３がカバー部材５１に一体形成されていても良く、また、別体で取り付けられていても良い）ため、部品点数を削減でき、組み付けが容易となる。そのため、製造コストを削減できる。
【００２７】
なお、本発明は、前述した実施形態に限定されず、その要旨を逸脱しない範囲で種々変形実施することができる。例えば、前述した実施形態では、本発明が両軸受型リールに適用されているが、本発明はスピニングリールにも適用できる。
【００２８】
【発明の効果】
以上説明したように、本発明の魚釣用リールによれば、クリック爪と爪車との衝突によって生じるカバー部材の振動がドラグ収容部内で大きく響くことにより、クリック音の響きを増幅するための空間を新たに形成する必要がなく、省スペース化を図り、クリック機構における弾発力を高めることなく大きなクリック音を得ることができる。
【図面の簡単な説明】
【図１】本発明の一実施形態に係る魚釣用リールの断面図である。
【図２】クリック作動状態における図１の魚釣用リールの要部拡大断面図である。
【図３】クリック非作動状態における図１の魚釣用リールの要部拡大断面図である。
【図４】図２のＡ−Ａ線に沿う断面図である。
【図５】図３のＢ−Ｂ線に沿う断面図である。
【符号の説明】
１…魚釣用両軸受型リール
１ａ…リール本体
２…スプール
４…スプール軸
５０…ハンドル
５１…カバー部材（回転体）
５３…爪車
５４…クリック爪
Ｓ…ドラグ収容部（空間部）
【図１】
0003923836.tif 000002
【図２】
0003923836.tif 000003
【図３】
0003923836.tif 000004
【図４】
0003923836.tif 000005
【図５】
0003923836.tif 000006